(57)【要約】      （修正有）【課題】移設の際に分解の必要がなく、設置された状態を維持しつつ容易で安価に移設を行うことができるとともに、移設に伴う作業を安全に行うことが可能な墓石を提供する。【解決手段】板面を略水平にした状態で平坦な場所に設置される平板状の土台部１２と、土台部の上方に配置されて骨壷を収納する納骨部１４とを含む墓石１０において、土台部は、底面を直線状に横断し、両端を開放端とする溝であり、吊り上げのための紐体２０を通す紐体通し溝１８ａ，１８ｂを備える。【選択図】図１
0003191110.tif 000002
【実用新案登録請求の範囲】
【請求項１】
平板状の土台部であり、板面を略水平にした状態で略平坦な場所に設置される土台部と、前記土台部の上方に配置されて骨壷を収納する納骨部とを含む墓石において、
前記土台部は、前記土台部の底面を直線状に横断し、両端を開放端とする溝であり、吊り上げのための紐体を通す紐体通し溝を備えることを特徴とする墓石。
【請求項２】
前記開放端の上端縁に面取りが施されたことを特徴とする請求項１記載の墓石。
【請求項３】
前記設置された状態で、前記開放端を開閉する蓋部を備えることを特徴とする請求項１又は２記載の墓石。
【請求項４】
前記蓋部は、前記開放端に着脱可能に嵌合する嵌合部を備えることを特徴とする請求項３に記載の墓石。
【請求項５】
前記土台部は、平面視矩形状に形成され、前記蓋部は、平面視矩形状の平板部材であって、板面を略水平にした状態で前記土台部の周辺に隣接配置される平板部材を含み、前記平板部材の側面で前記開放端を閉鎖することを特徴とする請求項３記載の墓石。
【請求項６】
前記土台部は、平面視矩形状に形成されて前記矩形状の一辺を前側とし、前記納骨部は、前記土台部から立設する左右側壁及び後方壁を含んで上端と前面とが開放した四角筒状に形成される四角筒状部と、前記上端を閉鎖する天板と、前記前面を開閉する前方扉とを含み、前記紐体通し溝は、少なくとも前後方向に形成されることを特徴とする請求項１〜４のいずれかに記載の墓石。
【請求項７】
前記納骨部は、前記納骨部の内側にしかも高さ方向の中途に配置される略水平な板であって、前記左右側壁及び前記後方壁に内接する棚板を備えることを特徴とする請求項６記載の墓石。
【考案の詳細な説明】
【技術分野】
【０００１】
本考案は、墓石に関し、特に土台石の上方に納骨室が配置される墓石に関する。
【背景技術】
【０００２】
日本の伝統的な墓は、仏教の教えに基づき、土台石（芝石）、中台（箱石）、上台（角石）、竿石（仏石）等と呼ばれる石材を積み重ねて作られたものが多くみられる。そして、墓石は、古来、野外に置かれ、自然の空気に触れ、日の当たる場所で、生花をたむけ焼香しながら先祖供養が行われてきた。
【０００３】
このような墓石は一般に重量物であり、しかも、地中に埋葬された遺骨の上に建立され、その場所で先祖供養が代々執り行われてきた歴史があることから、従来、墓石は、後の移設まで考慮されたものではなかった。
【０００４】
しかしながら、近年の少子高齢化傾向が進む中、特に人口流出が進む地方都市では、家族が古里を離れ、先祖供養が行われなくなった墓石が増加傾向にある。このような背景下、古里を離れた家族が、自宅の近所で先祖供養を可能とするため、古里にある墓石を移設させるケースも増えており、墓石の移設ニーズが高まっている。
【０００５】
このようなニーズに対し、土台石の上方に納骨室が配置されて移設可能な墓石や、墓石等の石材構造物の運搬に関し、様々な提案がされている（例えば特許文献１及び特許文献２）。
【先行技術文献】
【特許文献】
【０００６】
【特許文献１】特開平９−６０３４８号公報
【特許文献２】特開平２００７−１２６１８４号公報
【考案の概要】
【考案が解決しようとする課題】
【０００７】
特許文献１によれば、サオ石を角台を介して内部に納骨室を形成した箱石上に積重した墓において、納骨室が箱石の底面から穿孔した貫通しない大径の丸孔で形成されて箱石は側壁と一体の天井を有しており、この天井及び角台は、その中央に垂直方向の貫通孔をそれぞれ備え、サオ石は底面中央にアンカーナットを有する垂直方向の孔を備え、前記貫通孔を貫通して上端が前記アンカーナットに螺合されかつ下端が箱石の天井に締結されている通しボルトを備え、更に土台石と箱石とをボルトで締結した墓が開示されている。
【０００８】
しかしながら、特許文献１の墓を移設する際に、花台を取り外し、その後の開口から工具を差し込んでナットを外し、サオ石及び角台を吊り上げてこれらを分解し、加えて土台石と箱石とを締結するボルトを外して箱石を吊上げ、箱石と土台石とを分解する必要がある等（特許文献１の段落［００２０］参照）、移設作業が煩雑で、そのため移設費用も高額になる虞があるという問題がある。
【０００９】
次に、特許文献２によれば、石材構造物を展示場に運搬して展示するために用いられる石材構造物の運搬・展示用のパレットであって、上部デッキボードと下部デッキボードとが、所要に配設された連結部により連結され、該上部デッキボードに前記石材構造物が載置されるものであり、該上部デッキボードには、前記石材構造物の下面に設けられた固定雌ネジ部に螺合し得るボルトを上方に向けて挿通させる開口が設けられており、該ボルトの螺合操作を、前記連結部間に形成されている空間部を通して行うことができ、又、前記開口が、前記上部デッキボードに載置された前記石材構造物の下面で覆い隠されることを特徴とする石材構造物の運搬・展示用のパレットが開示されている。
【００１０】
特許文献２のパレットを用いて石材構造物を運搬する場合、前記石材構造物を、その下面に設けられている前記固定雌ネジ部を前記開口に位置合わせして前記上部デッキボードに載置し、その後、前記連結部間に形成されている空間部に、パレット端縁部で開放する端部開口から手を挿入して、前記開口の周縁部分の下面に座金を当接させると共に該座金に設けられているボルト挿通孔を挿通したボルトを前記固定雌ネジ部に螺合し締め付けることによって、前記パレットに石材構造物を固定する必要がある等（特許文献２の段落［００１７］参照）、移設作業が煩雑で、そのため移設費用も高額になる虞があるという問題がある。
【００１１】
また、特許文献２の図１７に示される様に、竿石の上端に設けられた吊り下げ用取付け部（アイボルト）にフックを掛着してチエンブロック等で墓石を吊り上げる方法が開示されている。しかし、特許文献２による吊上げ方法によれば、例えば長年野外の墓地に設置された墓石を移転させる場合等、吊り下げ用取付け部等が経時変化により腐食し、吊上げ途中に吊り下げ用取付け部が墓石の重量に抗しきれず破損して墓石が落下する虞がある等、移設作業の安全性が低くなる虞があるという問題があった。
【００１２】
そこで、本考案は、上記従来の問題に鑑みてなされたものであり、その目的は、容易で安価に移設を行うことができるとともに、移設に伴う作業を安全に行うことが可能な墓石を提供することにある。
【課題を解決するための手段】
【００１３】
本考案は、平板状の土台部であり、板面を略水平にした状態で略平坦な場所に設置される土台部と、前記土台部の上方に配置されて骨壷を収納する納骨部とを含む墓石において、前記土台部は、前記土台部の底面を直線状に横断し、両端を開放端とする溝であり、吊り上げのための紐体を通す紐体通し溝を備えることを特徴とする。
【００１４】
その際、前記開放端の上端縁に面取りが施されていても良いし、前記設置された状態で、前記開放端を開閉する蓋部を備えていても良い。また、前記蓋部は、前記開放端に着脱可能に嵌合する嵌合部を備えても良い。
【００１５】
また、前記土台部は、平面視矩形状に形成され、前記蓋部は、平面視矩形状の平板部材であって、板面を略水平にした状態で前記土台部の周辺に隣接配置される平板部材を含み、前記平板部材の側面で前記開放端を閉鎖しても良い。
【００１６】
また、前記土台部は、平面視矩形状に形成されて前記矩形状の一辺を前側とし、前記納骨部は、前記土台部から立設する左右側壁及び後方壁を含んで上端と前面とが開放した四角筒状に形成される四角筒状部と、前記上端を閉鎖する天板と、前記前面を開閉する前方扉とを含み、前記紐体通し溝は、少なくとも前後方向に形成されてもよい。
【００１７】
更に、前記納骨部は、前記納骨部の内側にしかも高さ方向の中途に配置される略水平な板であって、前記左右側壁及び前記後方壁に内接する棚板を備えてもよい。
【考案の効果】
【００１８】
本考案は、平板状の土台部であり、板面を略水平にされた状態で略平坦な場所に設置される土台部と、前記土台部の上方に配置されて骨壷を収納する納骨部とを含む墓石において、前記土台部は、前記土台部の底面を直線状に横断し、両端を開放端とする溝であり、吊り上げのための紐体を通す紐体通し溝を備える構成であるから、この墓石を移設させる際に、例えばベルト等の紐体を紐体通し溝に通し、紐体の両端をクレーン等で吊上げることで、容易に土台部ごと墓石全体を吊上げ可能となるので、移設の際に分解の必要がなく、設置された状態を維持しつつ容易に運搬及び移設を行うことができ、そのため移設に伴うコストも安価に抑えることができる。しかも、紐体によって墓石の土台部側を支持しつつ墓石全体を吊上げることにより、墓石の移設作業を安全に実施可能な墓石を提供できる。
【００１９】
また、前記開放端の上端縁に面取りが施された構成であるから、紐体通し溝の端から紐体を紐体通し溝に通す作業がしやすい。また、開放端の上端には面取によって角がないため、紐体を用いてクレーン等で吊上げる際に、紐体によって開放端の角が欠けることを防止できる。
【００２０】
また、前記設置された状態で、前記開放端を開閉する蓋部を備える構成であるから、蓋部により紐体通し溝の開放端を塞いでおくことで、例えば墓地等に長年載置された場合であっても、木の葉、木の枝或いは土砂等が紐体通し溝の内側に侵入することを防止でき、移設の際には蓋部を取り外せば済むので、紐体通し溝の内側を清掃する手間等が省けるので、更に移設作業を容易に行うことができる。
【００２１】
また、前記蓋部は、前記開放端にそれぞれに着脱可能に嵌合する嵌合部を備える構成であるから、嵌合部が開放端に嵌合して外れ難いため、例えば墓地等に長年載置された場合であっても、木の葉、木の枝或いは土砂等が紐体通し溝の内側に侵入することを更に確実に防止できる。
【００２２】
また、前記土台部は、平面視矩形状に形成され、前記蓋部は、平面視矩形状の平板部材であって、板面を略水平にした状態で前記土台部の周辺に隣接配置される平板部材を含み、前記平板部材の側面で前記開放端を閉鎖する構成であるから、土台部の周囲に隣接配置された平板部材を、例えば供養の際の踏み台としても活用できるので利便性が高い墓石を提供できる。
【００２３】
また、前記土台部は、平面視矩形状に形成されて前記矩形状の一辺を前側とし、前記納骨部は、前記土台部から立設する左右側壁及び後方壁を含んで上端と前面とが開放した四角筒状に形成される四角筒状部と、前記上端を閉鎖する天板と、前記前面を開閉する前方扉とを含み、前記紐体通し溝は、少なくとも前後方向に形成される構成であるから、紐体で吊上げる際に、紐体は前方扉の直前を上下方向に張設されるので、例えば移設途中に観音扉等の前方扉が開くことを紐体によって防止でき、移設作業を円滑に安全に行うことができる。
【００２４】
また、前記納骨部は、前記納骨部の内側にしかも高さ方向の中途に配置される略水平な板であって、前記左右側壁及び前記後方壁に内接する棚板を備える構成であるから、例えば納骨部に横方向でしかも内側方向の力が働くことがあっても、前記力に棚板が抗し、吊上げ中に側壁等が内側に倒れることを防止できるので、さらに設置された状態を維持しつつ移設作業を容易に安全に行うことができる。また、棚板を利用して骨壷を載置できるので、利便性が高まる。
【図面の簡単な説明】
【００２５】
【図１】本考案の実施形態に係る墓石の第１実施例を説明する斜視図である。
【図２】図１の分解斜視図である。
【図３】本考案の実施形態に係る墓石の第１実施例の土台部を説明する斜視図である。
【図４】本考案の実施形態に係る墓石の第１実施例を説明する正面図である。
【図５】本考案の実施形態に係る墓石の第１実施例を説明する左側面図である。
【図６】本考案の実施形態に係る墓石を吊上げる様子を説明する斜視図である。
【図７】本考案の実施形態に係る墓石の第２実施例を説明する斜視図である。
【図８】本考案の実施形態に係る墓石の第３実施例を説明する斜視図である。
【図９】本考案の実施形態に係る墓石の第４実施例を説明する斜視図である。
【図１０】本考案の実施形態に係る墓石の第５実施例を説明する斜視図である。
【考案を実施するための形態】
【００２６】
以下、本考案の実施形態に係る墓石は、略平坦な設置場所に設置される平板状の土台部と、前記土台部の上方に配置されて骨壷を収納する納骨部とを含む墓石において、前記土台部は、前記土台部の底面を横断するとともに両端が開放した直線状の溝であり、吊り上げのための紐体を通す紐体通し溝を備え、移設の際に分解の必要がなく、そのため載置されたままの状態で容易に吊上げて移設可能なものである。
【００２７】
本考案の実施形態に係る墓石の第１実施例について、図１〜図５を用いて説明する。
本実施例の墓石１０は、図１〜図３に示す様に、土台部１２、納骨部１４等を備える。なお、図３（ａ）は、土台部１２の上面２１側を示す斜視図であり、図３（ｂ）は、土台部１２の底面１６側を示す斜視図である。
また以下の説明で石材は、例えば御影石等の花崗岩として説明するが、石材は花崗岩に限らずコンクリートで形成されても良い。
【００２８】
まず、土台部１２は、図３に示すように、一枚の平板状の石材で形成される。具体的には、本実施例の土台部１２は、例えば横幅９０ｃｍ、奥行６０ｃｍ、厚さ１０ｃｍ程度の平面視矩形状の石材で形成される。本実施例の土台部１２は、図１及び図３に示す様に、矩形状の二つの長辺１３，１３´のうち一辺１３を前側としている。
なお、土台部の平面視形状は矩形状に限るものではなく、例えば円状、楕円状、五角形状等の任意の形状とすることができる。
【００２９】
この、土台部１２は、図３（ｂ）に示す様に、土台部１２の底面１６に紐体通し溝１８ａ，１８ｂを備える。紐体通し溝１８ａ，１８ｂは、図１、図３（ｂ）及び図６に示すように、ベルト等の紐体２０を通すことができる幅と深さを有し、両端を開放端１７ａ，１５ａ，１７ｂ，１５ｂとした直線状の溝で形成される。そして、紐体通し溝１８ａ，１８ｂは、図１、図３（ｂ）に示すように、上述した長辺１３に直交する方向、すなわち前後方向に削成される。
【００３０】
より詳しくは、紐体通し溝１８ａは、図１、図３（ｂ）及び図４に示すように、正面視で土台部１２の中心を挟んで右寄り位置で、前後方向に底面１６を横断して削成される。また、紐体通し溝１８ｂは、図１、図３（ｂ）及び図４に示すように、土台部１２の中心を挟んで紐体通し溝１８ａと左右対称の位置で、前後方向に底面１６を横断して削成される。このように、本実施例において、土台部１２は、図３に示すように、開放端１７ａ，１５ａ，１７ｂ，１５ｂを長辺１３，１３´に有する。
また、紐体は、上述したベルトに限るものではなく、例えば墓石１０の重量がかかっても切れない綱、ワイヤであっても良い。
【００３１】
また、本実施例の開放端１７ａ，１５ａ，１７ｂ，１５ｂは、図３（ｂ）及び図４に示すように、正面視で下端が開放したロ字状に形成され、その上端縁に、面取１９が施されている。なお、本実施例の土台部１２は、紐体通し溝１８ａ，１８ｂの溝方向が前後方向に形成されるが、例えば土台部１２の大きさに応じ、前後方向に加えて左右方向の溝方向を有する紐体通し溝を備えていてもよい。
【００３２】
なお、土台部１２は、図３及び図４に示すように、土台部１２の平面視中央近傍に、後述する納骨部１４に侵入する例えば露等の水分を下方に排出させる貫通孔２２、を備える。また、土台部１２は、図２及び図３（ａ）に示すように、後述する前方扉２４の回転軸２５ａ，２５ｂの下端を嵌合させる軸受孔２６ａ，２６ｂや、後述する扉止２８のホゾ２８ａと嵌合するホゾ孔３０を、上面２１側に備える。さらに、図１〜図４に示すように、土台部１２の上辺には上辺面取２７が施されている。
そして、土台部１２は、図１及び図４に示すように、板面（１６，２１）を略水平にした状態で、例えば墓地や、墓地に設けられた設置台或いは墓石の加工組立現場等の略平坦な設置場所２に載置される。
【００３３】
次に、本実施例の納骨部１４は、図１及び図２に示すように、四角筒状部３５を形成する左右側壁３２ａ、３２ｂ並びに後方壁３４と、前方扉２４と、天板３６等を備える。
左右側壁３２ａ，３２ｂは、図１及び図２に示すように、例えば土台部１２の奥行よりやや短い長さの幅と、前記幅の略２倍の高さと、土台部１２の厚さよりやや薄い厚さとを有する平板状の石材で形成される。そして、左右側壁３２ａ，３２ｂは、図１及び図２に示すように、それぞれ土台部１２の左右端近傍に立設される。その際、例えば土台部１２と左右側壁３２ａ，３２ｂとの間に耐震ゴム等を介在させ、接着剤を用いて土台部１２に左右側壁３２ａ，３２ｂを接着させてもよい。またさらに、Ｌ字状アングル部材（３８）を用いて土台部１２に左右側壁３２ａ，３２ｂを固定してもよい。なお、図２において、符号３３ａ，３３ｂは、後述する前扉の回転軸を係止させる凹部を示す。
【００３４】
次に、後方壁３４は、図１及び図２に示すように、例えば土台部１２の幅よりやや短い幅と、左右側壁３２ａ，３２ｂと同じ高さを有する平板状の石材で形成される。そして、後方壁３４は、図１及び図２に示すように、例えば左右側壁３２ａ，３２ｂの後端部の間に配置され、左右側壁３２ａ，３２ｂと同様にして、土台部１２から立設される。その際、図２に示す様に、後方壁３４と左右側壁３２ａ，３２ｂとをＬ字状アングル部材３８で連結してもよいし、鎹４０によって連結してもよい。
このように、左右側壁３２ａ，３２ｂ並びに後方壁３４は、図１及び図２に示すように、上端と前面とが開放した四角筒状に形成される四角筒状部３５を形成する。
【００３５】
次に、本実施例の前方扉２４は、図１及び図２に示すように、左右扉２４ａ，２４ｂを備える観音扉で形成され、土台部１２の前端近傍に立設する。より詳しくは、左右扉２４ａ，２４ｂは、図２に示すように、垂直な回転軸２５ａ，２５ｂをそれぞれ備える。回転軸２５ａ，２５ｂは、図２に示すように、左右側壁３２ａ，３２ｂの前端内側近傍の土台部１２に配置される軸受孔２６ａ，２６ｂに軸受けされるとともに、上述した凹部３３ａ，３３ｂで係止される。そして、左右扉２４ａ，２４ｂは回転軸２５ａ，２５ｂを中心に回動し、観音扉を形成し、前記前面を開閉する。
【００３６】
なお、本実施例の納骨部１４は、図１及び図２に示すように、左右扉２４ａ，２４ｂの回動を規制する部材であって、ホゾ孔３０及びホゾ２８ａによって土台部１２に着脱自在に取り付けられる扉止２８を備える。また、前方扉は、観音開のものに限らず、例えば引戸であっても良い。
【００３７】
次に、天板３６は、図１及び図２に示すように、例えば土台部１２と同じ平面視矩形状で、土台部１２の厚さよりやや薄い厚さの平板状石材で形成される。そして、天板３６は、図１及び図２に示すように、土台部１２と対向配置され、四角筒状部３５の上端に取り付けられる。
【００３８】
このように、本実施例の納骨部１４は、土台部１２から立設する左右側壁３２ａ，３２ｂ及び後方壁３４を含んで上端と前面とが開放した四角筒状に形成される四角筒状部３５と、前記上端を閉鎖する天板３６と、前記前面を開閉する前方扉２４とを含み、紐体通し溝１８ａ，１８ｂは、少なくとも前後方向に形成される構成となっているのである。
【００３９】
なお、納骨部は、本実施例の構成に限るものではなく、例えば立方体状の石材を下方からくり抜いてドーム状の天井を有する内部構造とし、前記石材の前側に開口を設け、この開口を開閉する前方扉を備える構成であっても良い。
【００４０】
また、納骨部１４は、図２及び図５に示すように、その内部に棚板４２を備える。棚板４２は、図２及び図５に示すように、例えば後方壁３４及び左右側壁３２ａ，３２ｂで囲まれた平面視矩形状で、複数の骨壷を載置可能な強度の平板状石材で形成される。そして、棚板４２は、図２及び図５に示すように、納骨部１４の高さ方向の中央近傍に、板面を略水平した状態で配置され、左右側壁３２ａ，３２ｂに隣接して立設する支持板４４ａ，４４ｂで支持される。
このように、本実施例の納骨部１４は、納骨部１４の内部にしかも高さ方向の中途に配置される略水平な板であって、左右側壁３２ａ，３２ｂ及び後方壁３４に内接する棚板４２を備える構成となっているのである。
なお、棚板は、本実施例の一段に限るものではなく、複数段備える構成であってもよい。
【００４１】
次に、本実施例の墓石１０を移設する際には、図１及び図６に示すように、ベルト（２０）を紐体通し溝１８ａ，１８ｂに通し、次に重量フック３３にベルト（２０）の両端を引っ掛け、クレーン等で墓石１０を設置場所２から吊上げる。次に、吊上げた墓石１０を、例えばトラックの荷台等に乗せて搬送する。そして、目的地に到着したら、重量フック３３にベルト（２０）を引っ掛け、クレーン等で吊上げてトラックの荷台から設置場所へと運搬して設置できる。
【００４２】
このように、本実施例の墓石１０によれば、容易に土台部１２ごと墓石１０全体を吊上げ可能となるので、例えば墓地等に載置された場合であっても、移設の際に分解の必要がなく、設置された状態のままで容易に運搬及び移設を行うことができ、そのため移設に係るコストも安価に抑えることができる。また、紐体２０によって底面１６側から土台部１２を支持しつつ墓石１０を吊上げることで、例えば墓石１０を形成する石材どうしが外れることがあっても、これらの石材が地上に落下する危険性は低くなり、移設作業を安全に実施できる。
【００４３】
その際、紐体通し溝１８ａ，１８ｂのそれぞれの開放端１７ａ，１５ａ，１７ｂ，１５ｂの上端縁に、面取り１９が施されているので、紐体２０を紐体通し溝１８ａ，１８ｂに通す作業がしやすい。また、面取り１９が施されており、紐体通し溝１８ａ，１８ｂの両端の上端は角がないため、土台部１２ごと墓石１０を吊上げる際に、紐体２０によって開放端１７ａ，１５ａ，１７ｂ，１５ｂの上端縁が欠けることを防止できる。
【００４４】
また、紐体２０は、図６に示すように、前方扉２４の直前を上下方向に張設されるので、例えば移設途中に観音扉等の前方扉が開くことを、紐体２０によって防止でき、移設作業をより円滑に安全に行うことができる。
さらに、紐体の両端をクレーン等で引き上げる際に、例えば紐体２０によって納骨部１４に対して、横方向でしかも内側方向の力が働くことがあっても、棚板４２によって、左右側壁３２ａ，３２ｂ、後方壁３４或いは前方扉２４等が内側に倒れることを防止できる。
【００４５】
次に、本考案の実施形態に係る墓石の第２実施例について、図７を用いて説明する。第１実施例の墓石１０と第２実施例の墓石５０との相違点は、蓋部４３としてのキャップ部材４６を備える点であり、以下、第１実施例と同様な部材には同じ符号を付し、その説明を省略する。
【００４６】
本実施例のキャップ部材４６は、図７に示すように、嵌合部４６ｂと、蓋板４６ａとを備える。嵌合部４６ｂは、図７に示すように、開放端１７ａ，１５ａ，１７ｂ，１５ｂに着脱可能に嵌合するサイズの直方体状の石材で形成される。次に、蓋板４６ａは、図７及び図３に示すように、開放端１７ａ，１７ｂ，１５ａ，１５ｂよりやや大きい長方形状で平板状の石材で形成される。そして、図７に示すように、蓋板４６ａの一方の板面に嵌合部４６ｂが配置される。なお、蓋板４６ａと嵌合部４６ｂとは一体で形成されてもよいし、別体で形成されて接着剤等で接着形成されてもよい。
【００４７】
このように形成されるキャップ部材４６は、図７に示すように、墓石５０が設置場所２に設置された状態で、嵌合部４６ｂを開放端１７ａ，１７ｂ，１５ａ，１５ｂに嵌合させることで、両端１７ａ，１７ｂ，１５ａ，１５ｂを塞ぐことができ、開放端１７ａ，１５ａ，１７ｂ，１５ｂから外れ難い。なお図７において、正面視右側のキャップ部材４６は、開放端１７ｂを閉鎖した様子を示し、正面視左側のキャップ部材４６は、開放端１７ａを開放した様子を示す。
【００４８】
本実施例の墓石５０によれば、蓋部４３としてのキャップ部材４６により開放端１７ａ，１７ｂ，１５ａ，１５ｂを塞いでおくことで、例えば墓地等に長年載置された場合であっても、木の葉、木の枝或いは土砂等が紐体通し溝の内側に侵入することを防止でき、移設の際に紐体通し溝の内側を清掃する手間等が省けるので、更に移設作業を容易に行うことができる。
【００４９】
次に、本考案の実施形態に係る墓石の第３実施例について、図８を用いて説明する。図８では、６式の墓石５０が上下二段積で、しかも横方向に隣接させつつ３列配置されている様子を示している。このように、上述した墓石１０或いは墓石５０によれば、容易に吊上げることが出来るので、これら墓石１０，５０を２段に重ねることができるし、横方に隣接させつつ配列できる。
【００５０】
次に、本考案の実施形態に係る墓石の第４実施例について、図９を用いて説明する。
本実施例の墓石６０は、図９に示すように、第２実施例の墓石５０の天板３６上に、竿石５２、竿石支持台５８、花立５４，５４並びに香炉５６を備えたものである。この様に、天板３６上に竿石５２等が備えられていても、紐体通し溝１８ａ，１８ｂを利用して紐体２０を介して容易に墓石６０を運搬・移設できる。
【００５１】
次に、本考案の実施形態に係る墓石の第５実施例について、図１０を用いて説明する。
本実施例の墓石７０は、第４実施例における蓋部４３としてのキャップ部材４６に替えて、平板部材７２を配置したものである。本実施例の平板部材７２は、図１０に示す様に、例えば土台部１２の長辺の略１．５倍の長辺と、土台部１２の短辺の略半分の短辺を有する平面視矩形状で平板状の石材で形成される。この平板部材７２は、図１０に示すように、板面７２ｂが略水平で、長辺側の側面７２ａが開放端１７ａ，１７ｂに対向する状態で設置場所２に配置される。そして、平板部材７２を土台部１２スライドさせ、側面７２ａを開放端１７ａ，１７ｂに接触させて開放端１７ａ，１７ｂを閉鎖する。
【００５２】
なお、図１０において、符号７８は、平板部材７２と同形・同サイズの石材であり、後側の開放端１５ａ，１５ｂを閉鎖する蓋部４３としての平板部材を示す。また、図１０において、符号７４は、平板部材７２と略同じ厚さを有する板状に形成され、土台部１２の左右に配置される板状石材を示す。
本実施例の墓石７０は、図１０に示すように、土台部１２の周囲を平板部材７２，７８及び板状石材７４，７４で囲繞される態様となっており、例えば人が平板部材７２，７８上に立って供養等を行うことができ、平板部材７２，７８や板状石材７４，７４を踏み台とし利用できる。そして、墓石７０の移設の際は、平板部材７２，７８をスライドさせて開放端１７ａ，１７ｂ，１５ａ，１５ｂを開放させ、紐体通し溝に紐体２０を通し、クレーン等で容易に持ち上げて移設できる。また、平板部材７２，７８や板状石材７４，７４もそれぞれが板状に形成されているため、運搬・移設が容易である。
【００５３】
このように、本実施例の墓石７０において、蓋部４３は、平面視矩形状の平板部材であって、板面を略水平にした状態で土台部１２の周辺に隣接配置される平板部材７２，７８を含み、平板部材７２，７８の側面で開放端１７ａ，１７ｂ，１５ａ，１５ｂを閉鎖する構成となっているのである。
【００５４】
これまで説明してきた様に、本実施形態の墓石１０，５０，６０，７０によれば、容易で安価に移設を行うことができるとともに、移設に伴う作業を安全に行うことが可能な墓石を提供できる。
【００５５】
以上、本考案の実施形態のうちいくつかを図面に基づいて詳細に説明したが、これらはあくまでも例示であり、当業者の知識に基づいて種々の変形、改良を施した他の形態で本考案を実施することが可能である。例えば紐体通し溝を、フォークリフトの爪挿入孔として用いても良い。
【符号の説明】
【００５６】
１０，５０，６０，７０  墓石
１２  土台部
１４  納骨部
１６  土台部の底面
１７ａ，１７ｂ，１５ａ，１５ｂ  開放端
１８ａ，１８ｂ  紐体通し溝
１９  面取
２０  紐体
２４  前方扉
３２ａ，３２ｂ  左右側壁
３４  後方壁
３５  四角筒状部
３６  天板
４２  棚板
４３  蓋部
４６  キャップ部材
７２，７８  平板部材
【図１】
0003191110.tif 000003
【図２】
0003191110.tif 000004
【図３】
0003191110.tif 000005
【図４】
0003191110.tif 000006
【図５】
0003191110.tif 000007
【図６】
0003191110.tif 000008
【図７】
0003191110.tif 000009
【図８】
0003191110.tif 000010
【図９】
0003191110.tif 000011
【図１０】
0003191110.tif 000012